(57)【要約】【課題】就寝中の首や頸椎の曲がりを正常な形に矯正することにより、いびきを停止又は低減することができるいびき防止枕を提供する。  【解決手段】低反発性の枕本体１と、枕本体１に内蔵されたバイブレータ２と、いびきを検知するいびき検知センサ３と、いびき検知センサ３からの検知信号によりバイブレータ２を介して枕本体１を振動させて自然な寝姿に誘導していびきを防止する。いびき検知センサ３は、いびきの大小に応じてセンサ感度を低感度モードと高感度モードに切り替える感度切替スイッチ１１を備える。【選択図】図１
2020036874.tif 000002
【特許請求の範囲】
【請求項１】
枕本体と、
前記枕本体に内蔵されたバイブレータと、
いびきを検知し、前記バイブレータに検知信号を送信して前記バイブレータ２を振動させるいびき検知センサと、を備えたことを特徴とするいびき防止枕。
【請求項２】
前記いびき検知センサは、いびきの大小に応じてセンサ感度を低感度モードと高感度モードに切り替える感度切替スイッチを備えたことを特徴とする請求項１に記載のいびき防止枕。
【請求項３】
前記いびき検知センサには、前記バイブレータの振動の強さを任意の段階に設定する振動切替スイッチを備えたことを特徴とする請求項１又は２に記載のいびき防止枕。
【請求項４】
前記いびき検知センサでいびきを検知した後、任意の時間経過後に前記バイブレータが振動するように、前記いびき検知センサ又はバイブレータに制御手段が設けられたことを特徴とする請求項１乃至３のいずれかに記載のいびき防止枕。
【請求項５】
前記枕本体は、使用時には首又は頸椎の形状に応じて変形し、不使用時には元の形状に復元する低反発樹脂で形成されていることを特徴とする請求項１乃至４のいずれかに記載のいびき防止枕。
【発明の詳細な説明】
【技術分野】
【０００１】
本発明は、いびき防止枕に関し、特に、枕本体の振動により寝姿を矯正していびきを停止又は低減させるいびき防止枕に関するものである。
【背景技術】
【０００２】
いびきは、主として睡眠中に上気道が狭くなることが原因で起こることが多い。上気道が狭くなる原因は、頭部、首又は頸椎が曲がった不自然な寝姿によることが多く、これを矯正することにより上気道が広がり、いびきを停止又は低減することができる。しかしながら、従来は就寝中の首又は頸椎等の不自然な曲がりを矯正する手段がないため、効果的ないびきの防止ができなかった。いびきをかくと、本人の呼吸が苦しく、快適な睡眠をとることができないばかりでなく、同じ部屋に寝ている周囲の人に迷惑をかけることになる。
従来、後頭部を安定的に支えることで首や頸椎を楽にするように工夫された枕は種々提案されているが、就寝中に不自然に曲げられた首や頸椎を矯正する手段はなく、いびきを枕により防止することはできなかった。
【発明の概要】
【発明が解決しようとする課題】
【０００３】
本発明は、就寝中の首や頸椎の曲がりを正常な形に誘導・矯正することにより、いびきを停止又は低減することができるいびき防止枕を提供することを目的とする。
【課題を解決するための手段】
【０００４】
本発明の低反発枕は、枕本体と、前記枕本体に内蔵されたバイブレータと、いびきを検知し、前記バイブレータにいびき検知信号を送信して前記バイブレータを振動させるいびき検知センサと、を備えたことを特徴とする。
【０００５】
前記いびき検知センサは、いびきの大小に応じてセンサ感度を低感度モードと高感度モードに切り替える感度切替スイッチを備えることが好ましい。
【０００６】
前記いびき検知センサには、前記バイブレータの振動の強さを任意の段階に設定する振動切替スイッチを備えることが好ましい。
【０００７】
前記いびき検知センサでいびきを検知した後、任意の時間経過後に前記バイブレータが振動するように、前記いびき検知センサ又はバイブレータに制御手段を設けることが好ましい。
【０００８】
前記枕本体は、使用時には首又は頸椎の形状に応じて変形し、不使用時には元の形状に復元する低反発樹脂で形成されていることが好ましい。
【発明の効果】
【０００９】
本発明によれば、いびき検知信号によるバイブレータの振動により、就寝中の首や頸椎の曲がりを正常な形に誘導・矯正することにより、いびきを停止又は低減することができる。
【図面の簡単な説明】
【００１０】
【図１】本発明の一実施形態に係るいびき防止枕の斜視図である。
【図２】(a)はいびき検知センサの上面図、(b)はいびき検知センサの側面図である。
【図３】本実施形態に係るいびき防止枕の使用状態を示す説明図である。
【図４】いびき検知センサ及びバイブレータの動作を示す説明図である。
【発明を実施するための形態】
【００１１】
以下、本発明を、図面に表わした実施形態を用いてより詳細に説明する。但し、本発明は、これら実施形態に限定されるものではなく、本発明の趣旨を逸脱しない範囲で種々変更して実施することが可能である。
【００１２】
図1は、本発明の実施形態に係るいびき防止枕の斜視図、図２は、いびき検知センサの外観拡大図で、(a)は上面図、(ｂ)は側面図を示す。
【００１３】
図1において、枕本体１は、全体がウレタンフォーム等の低反発性の素材により形成されたものであり、前部中央（使用時に後頭部に当たる部分）に凹部１aが形成され、後部にはなだらかに傾斜し肉薄平坦部１ｂが形成されている。枕本体１は、このように、首や頸椎を正常な形に保ち、快適快眠できる形状及び機能、すなわち、３次元人間工学に基づいて設計されており、使用時（就寝時）には首及び頸椎の形状に対応して変形し、起床時（不使用時）には元の形状に復元するように、ウレタンフォーム等の低反発樹脂で形成されている。枕本体１には枕カバー（図示せず）を装着すすることが好ましい。本発明のいびき防止枕は、後述するように、いびきを感知して枕本体１が微振動を生起し、いびきを抑制する機能を備えている。
【００１４】
枕本体１の内部には、電流により枕本体１全体に振動を付与するバイブレータ２が内蔵されている。バイブレータ２には、いびきを感知してバイブレータ２に信号を送信するいびき検知センサ３がリード線４を介して接続されている。また、いびき検知センサ３には電源コード５が接続され、この電源コード５は、USBプラグ６を介してAC/DCアダプタ７に接続され、コンセント（図示せず）に差し込まれたAC/DCアダプタ７から電力が供給されるようになっている。なお、いびき検知センサ３は枕本体１の外部に設置してもよいし、枕本体１に内蔵してもよい。
【００１５】
図２に示すように、いびき検知センサ３は、上部にセンサマイク８及び電源のON・OFFを操作する電源スイッチ９が設けられ、側部には感度切替スイッチ１０及び振動切替ボタン１１が設けられている。感度切替スイッチ１０は、大きめのいびきが出る人のための低感度モードLと、小さめのいびきが出る人のための高感度モードHの２段階の設定ができるようになっている。また、振動切替ボタン１１は、１回押すごとにバイブレータ２の振動の強さが変動するようになっている。すなわち、電源スイッチのオン時には弱振動であり、振動切替ボタン１１を１回押すと中振動に切替わり、さらにもう１回押すと強振動に切替わるようになっている。振動切替ボタンを１回押すとバイブレータ２が約１秒間振動して設定が切替わったこことを知らせるようになっている。
【００１６】
バイブレータ２は、一般的な構造のもの、例えば、モータ軸に偏心錘を取り付け、モーターを回転させることで回転軸が振動し、得られた振動を利用するもの、クランクとばねを用いて共振させるもの、あるいは電磁石に交流電源を与え周期的な吸引・反発力を利用するもの等、電力により振動するものであれば構成は問わない。
【００１７】
図３は、本実施形態に係るいびき防止枕の使用状態を示す説明図、図４は、いびき検知センサ及びバイブレータの動作を示す説明図である。
【００１８】
以下、図３及び図４に基づいて、いびき防止枕の動作を説明する。いびき検知センサ３の電源スイッチ９をONにし、図３に示すように、枕本体１の凹部１aに後頭部を当てて就寝する。
【００１９】
図３(a)に示すように、いびきは、主として睡眠中に上気道１３が狭くなることが原因で起こるので、これを矯正することによりいびきを防止することができる。
【００２０】
図３(b)及び図４に示すように、いびきが発生すると、いびき検知センサ３がいびき音を検知する。図４に示すように、いびき検知センサ３がいびき音を検知して３０秒経過した後に、この検知信号に基づいてバイブレータ２が微振動を起こし、この微振動が枕本体１を介して後頭部、首、頸椎に伝わることにより、図３(ｃ)に示すように自然な寝姿勢に誘導する。
【００２１】
図４に示すように、バイブレータ２の微振動の発生後、１０秒後に再度いびき検知センサ３がいびきを検知すると、３０秒後に再度バイブレータ２が微振動を発生し、１０秒後にいびき検知センサ３がいびきを検知すると、以後は上記動作を繰り返す。図３(c)に示すように、バイブレータ２の微振動により、上気道１３が狭くなる不自然な寝姿を自然な寝姿に誘導することにより、図３(d)に示すように、狭くなった上気道１３が自然に広がって呼吸しやすくなり、いびきが防止される。いびきが所定時間、ここでは３０秒間止まればいびき検知センサ３は停止する。
【００２２】
上記のように、いびき検知後３０秒後のバイブレータ２起動、バイブレータ２の１０秒振動等の時間はこれに限定されず、任意である。また、このような時間設定の制御手段は、いびき検知センサ３又はバイブレータ２のいずれに設けてもよい。
【００２３】
上述のように、いびき検知センサ３は、大きめのいびきが出る人のための低感度モードと、小さめのいびきが出るひとのための高感度モードの２段階の設定ができるようになっている。また、いびき検知センサ３は、例えば、６５ｄｂを超えるいびき音を３回感知すると、バイブレータ２が低振動を３回生起するように設定するこことができる。このバイブレータ２の低振動によって、自然な寝姿に誘導して上気道を広げ、上気道が狭くなるいびきの原因を矯正することができる。
【００２４】
バイブレータ２の低振動の１０秒後に、もう一度６５ｄｂを超えるいびき音を感知すると、中振動を２回生起するように設定してもよい。この中振動によって、最初の低振動で矯正できなかった寝姿も姿自然な寝姿に誘導して、上気道が狭くなるいびきの原因を矯正することができる。
【００２５】
更に、１０秒後に、もう一度６５ｄｂを超えるいびき音を感知すると、次はバイブレータ２が強振動を１回生起するように設定してもよい。それでも、いびきが収まらないような場合には、更に、１０秒後に、もう一度６５ｄｂを超えるいびき音を感知すると、強振動を１回生起するように設定する。
【００２６】
ただし、低振動、中振動、強振動の１０秒後に、いびき音が６５ｄＢ以下に下がった場合は、低振動が３回動作するように設定することも可能である。
【００２７】
以上のように、いびき防止枕の振動の繰返し動作によって、首及び頸椎を正常な形状に保持し、上気道を広げて呼吸を楽にし、いびきを防止又は軽減し、快適な睡眠ができるとともに、周囲で就寝している人々に迷惑をかけることをなくすることができる。
【符号の説明】
【００２８】
１  枕本体１
２  バイブレータ
３  いびき検知センサ
８  センサマイク
１０  感度切替スイッチ
１１  振動切替ボタン
【図１】
2020036874.tif 000003
【図２】
2020036874.tif 000004
【図３】
2020036874.tif 000005
【図４】
2020036874.tif 000006